(57)【要約】【課題】  取り忘れられたカードに価値付けられた有価価値の有無によって効率的なカードの管理を行えるようにした貸出処理機および遊技媒体貸出システムを提供する。【解決手段】  閉店処理や売上データの集計時に貸出処理機で取り忘れられた状態にあるカードがあるとそのカードに価値付けられた有価価値の有無を判断し、カードが価値付けられている場合にはカードの返却の有無またはエラー表示の有無によって有価価値の有無を判断する。また、有価価値が無い場合には所定の回収ボックスやスタック領域に当該カードを回収する。【選択図】図１
2007061170.tif 000002
【特許請求の範囲】
【請求項１】
有価価値が価値付けられた記憶媒体の該有価価値に基づき遊技媒体の貸し出しを制御する貸出処理機において、
売上集計処理時に残留した記憶媒体があるか否かを判断する記憶媒体残留判断手段と、
前記記憶媒体残留判断手段により前記記憶媒体が残留状態にあると判断された場合は、当該記憶媒体に価値付けられた残有価があるか否かを判断する残価値有無判断手段と、
前記残価値有無判断手段により前記記憶媒体に前記残価値があると判断された場合は、当該記憶媒体を自動返却する記憶媒体自動返却制御手段と
を具備することを特徴とする貸出処理機。
【請求項２】
有価価値が価値付けられた記憶媒体の該有価価値に基づき遊技媒体の貸し出しを制御する貸出処理機において、
売上集計処理時に残留した記憶媒体があるか否かを判断する記憶媒体残留判断手段と、
前記記憶媒体残留判断手段により前記記憶媒体が残留状態にあると判断された場合は、当該記憶媒体に価値付けられた残有価があるか否かを判断する残価値有無判断手段と、
前記残価値有無判断手段により前記記憶媒体に前記残価値が有ると判断された場合は、当該記憶媒体を保持し、係員による所定の操作に基づいて返却する記憶媒体返却制御手段と
を具備することを特徴とする貸出処理機。
【請求項３】
前記残価値有無判断手段で前記記憶媒体に前記残価値がないと判断された場合は、該カードを再利用のためにスタックするスタック手段
を具備することを特徴とする請求項１または２記載の貸出処理機。
【請求項４】
前記残価値有無判断手段で前記記憶媒体に前記残価値がないと判断された場合は、該カードを回収する回収手段
を具備することを特徴とする請求項１または２記載の貸出処理機。
【請求項５】
前記残価値有無判断手段により前記記憶媒体に前記残価値があると判断された場合は、その旨を報知する報知手段
を具備することを特徴とする請求項１乃至４のいずれかに記載の貸出処理機。
【請求項６】
有価価値が価値付けられた記憶媒体の該有価価値に基づき遊技媒体の貸し出しを制御する複数の貸出処理機と、前記記憶媒体の有価価値および前記貸出処理機における前記記憶媒体の有価価値に基づく遊技媒体の貸し出しを管理する管理装置とを有する遊技媒体貸出システムにおいて、
前記管理装置は、
前記複数の貸出処理機に残留した記憶媒体があるか否かをそれぞれ判断する記憶媒体残留判断手段と、
前記記憶媒体残留判断手段により前記記憶媒体が残留状態にあると判断された場合は、当該貸出処理機に残留する記憶媒体に価値付けられた残有価があるか否かを判断する残価値有無判断手段と、
前記残価値有無判断手段により前記記憶媒体に前記残価値があると判断された場合は、当該貸出処理機に対して当該記憶媒体の自動返却を指示する記憶媒体返却指示を行う記憶媒体返却指示手段と
を具備し、
前記貸出処理機は、前記記憶媒体返却指示手段による記憶媒体返却指示に基づき、残留した記憶媒体を自動返却する
ことを特徴とする遊技媒体貸出システム。
【請求項７】
有価価値が価値付けられた記憶媒体の該有価価値に基づき遊技媒体の貸し出しを制御する複数の貸出処理機と、前記記録媒体の有価価値及び前記貸出処理機における前記記録媒体の有価価値に基づく遊技媒体の貸出を管理する管理装置とを有する遊技媒体貸出システムにおいて、
前記管理装置は、
前記複数の貸出処理機に残留した記憶媒体があるか否かをそれぞれ判断する記憶媒体残留判断手段と、
前記記憶媒体残留判断手段により前記記憶媒体が残留状態にあると判断された場合は、当該貸出処理機に残留する記憶媒体に価値付けられた残有価があるか否かを判断する残価値有無判断手段と、
前記残価値有無判断手段により前記記憶媒体に前記残価値があると判断された場合は、当該貸出処理機に対して当該記憶媒体を保持する記録媒体保持指示を行う記録媒体保持指示手段と、
を具備し、
前記貸出処理機は、前記記録媒体保持指示手段による記録媒体保持指示に基づき、残留した記憶媒体を保持し、係員による所定の操作に基づいて該記録媒体を返却する
を具備することを特徴とする遊技媒体貸出システム。
【請求項８】
前記残価値有無判断手段で前記記憶媒体に前記残価値がないと判断された場合は、該カードを再利用のために当該カードを当該貸出処理機のスタック部にするスタック指示を行うスタック指示手段
を具備することを特徴とする請求項７または８記載の遊技媒体貸出システム。
【請求項９】
前記残価値有無判断手段で前記記憶媒体に前記残価値がないと判断された場合は、該カードを回収する回収指示を行う回収指示手段
を具備することを特徴とする請求項７または８記載の遊技媒体貸出システム。
【請求項１０】
前記残価値有無判断手段により前記記憶媒体に前記残価値があると判断された場合は、その旨を当該貸出処理機で報知する報知手段
を具備することを特徴とする請求項６乃至９のいずれかに記載の遊技媒体貸出システム。
【発明の詳細な説明】
【技術分野】
【０００１】
本発明は、カードに価値付けられた有価価値に対して遊技媒体の貸出を行う貸出処理機および遊技媒体貸出システムに関し、特に、取り忘れられたカードに対して所定の処理を行うことで該カードに価値付けられた有価価値を管理できるようにした貸出処理機および遊技媒体貸出システムに関する。
【背景技術】
【０００２】
一般に、パチンコ店などの遊技施設に設けられたパチンコ台やスロットマシンなどの遊技機を用いて遊技を行う場合には、遊技媒体であるパチンコ玉やメダルなどの貸し出しを受ける。このときの遊技媒体の貸し出しは、パチンコ台ごとに併設された貸出処理機（パチンコ台の間に設置されることから「台間処理機」ともいう）に所定の現金を投入することにより貸し出しを受けることができるほか、カード発行機により発行され、有価価値が価値付けられたカードを貸出処理機に挿入または載置することにより、遊技媒体の貸し出しを受けることができる。
【０００３】
上記いずれの場合であっても投入した金額に対して遊技媒体の貸し出しを受けた金額が少ない場合には、その差額分を利用者に対して返金する必要がある。このとき、貸出処理機で遊技ごとに返金することは、業務効率が悪いだけでなく、利用者の利便性を損なうことになってしまう。
【０００４】
そのため、一般的に遊技施設の会員として登録された遊技客が保持する会員カードまたは会員として登録されていない一般の遊技客が保持する非会員カード（以下、「一般カード」という）を発行し、そのカードに利用者の投入金額に対する有価価値を価値付けることによって遊技機の利用を可能としている。すなわち、貸し出された遊技媒体の有価価値をカードに価値付けられた有価価値から差し引くことによって残高をカードで管理するようにしている。
【０００５】
このときの有価価値とは、投入された現金を所定のレートで貸出単位である「度数」に変換した価値を示すものであって、貸出単位に基づいて遊技媒体の貸し出される。例えば、１００円に対して「１度数」を割り当てた場合、３千円の金額が投入されると、カードの有価価値として「３０度数」が価値付けられる。
【０００６】
しかしながら、遊技客が遊技機の使用を終了する場合や遊技施設を閉店する場合などに挿入されたカードを遊技客が取り忘れるケースがあり、特に、閉店時に行われる一日の売上金額や集客状況などを集計する閉店処理の際に、貸出処理機に取り忘れられたカードの取り扱いに苦慮することがあった。これは、カードに価値付けられた有価価値がなければ、カードを取り出して破棄または再利用することができるが、有価価値があるカードの場合には不用意に破棄することができず、通常は預かり置きする必要があるためである。
【０００７】
一般に、カードを用いてパチンコ台などの遊技機による遊技を提供する遊技システムでは、上記、閉店処理の際に取り忘れカードがある場合、その取り忘れられたカードの取引を中止させ、自動的にカードを返却する。返却されたカードごとに残高の有無を確認する必要があり、時間や多くの手間を要することになる。
【０００８】
また、カードの不正利用を防止するなどの観点からカードを一見しただけでは、残高を確認することができないカードがあり、このようなカードの場合には、一枚づつカード処理機で残高があるかないかを読み取る処理が必要となる。
【０００９】
このため、有価価値の有無の判別作業や有価価値を有するカードの取り扱いが必要となり、閉店処理時の業務効率が悪くなるという問題がある。
【００１０】
使用済みのカードを効率よく回収できるようにした従来技術として、特許文献１または特許文献２に開示されたものがある。
【００１１】
まず、特許文献１に開示された従来技術では、使用済みのカードを貸与機の機外に導出する導出路を設け、複数の貸与機から導出されたカードを共通に搬送する搬送路によって回収箱で回収されるようにすることで、使用済みのカードを回収することができるようにしている。
【００１２】
次に、特許文献２に開示された従来技術では、カードが台間貸出機に収容された状態で使用済みになると、内部に設けられたスタック部に順次積層することにより、大規模な改修工事を行うことによる設置費用のコスト高を防ぎ、省スペースで使用済みのカードを回収できるようにしている。
【特許文献１】特開平７−３１３７２２
【特許文献２】特開２０００−１３５３７１
【発明の開示】
【発明が解決しようとする課題】
【００１３】
しかしながら、特許文献１、特許文献２に示されたいずれの従来技術においても、使用済みとなったカードは貸出機により回収されてしまう。例えば、上記する一般カードであっても遊技施設の営業時間内である場合には、効率的なカード利用のために使用済みとなったカードに再度、有価価値を価値付けて利用することができない。
【００１４】
また、有価価値が残された状態でカードが挿入されている場合には、回収されず、さらに排出もされないため貸出機のなかに滞留してしまうことにより閉店処理時などの作業効率が悪くなるという問題がある。すなわち、取り忘れられたカードに有価価値が価値付けられているかが不明であるため、全ての取り忘れられたカードの残高確認をしなければならない。
【００１５】
そこで、本発明は、取り忘れられたカードに価値付けられた有価価値の有無によって効率的なカードの管理を行えるようにした貸出処理機および遊技媒体貸出システムを提供することを目的とする。
【課題を解決するための手段】
【００１６】
上記目的を達成するため、請求項１の発明は、有価価値が価値付けられた記憶媒体の該有価価値に基づき遊技媒体の貸し出しを制御する貸出処理機において、売上集計処理時に残留した記憶媒体があるか否かを判断する記憶媒体残留判断手段と、前記記憶媒体残留判断手段により前記記憶媒体が残留状態にあると判断された場合は、当該記憶媒体に価値付けられた残有価があるか否かを判断する残価値有無判断手段と、前記残価値有無判断手段により前記記憶媒体に前記残価値があると判断された場合は、当該記憶媒体を自動返却する記憶媒体自動返却制御手段とを具備することを特徴とする。
【００１７】
また、請求項２の発明は、請求項１の発明において、有価価値が価値付けられた記憶媒体の該有価価値に基づき遊技媒体の貸し出しを制御する貸出処理機において、売上集計処理時に残留した記憶媒体があるか否かを判断する記憶媒体残留判断手段と、前記記憶媒体残留判断手段により前記記憶媒体が残留状態にあると判断された場合は、当該記憶媒体に価値付けられた残有価があるか否かを判断する残価値有無判断手段と、前記残価値有無判断手段により前記記憶媒体に前記残価値が有ると判断された場合は、当該記憶媒体を保持し、係員による所定の操作に基づいて返却する記憶媒体返却制御手段とを具備することを特徴とする。
【００１８】
また、請求項３の発明は、請求項１または２の発明において、前記残価値有無判断手段で前記記憶媒体に前記残価値がないと判断された場合は、該カードを再利用のためにスタックするスタック手段を具備することを特徴とする。
【００１９】
また、請求項４の発明は、請求項１または２の発明において、前記残価値有無判断手段で前記記憶媒体に前記残価値がないと判断された場合は、該カードを回収する回収手段を具備することを特徴とする。
【００２０】
また、請求項５の発明は、請求項１乃至４のいずれかの発明において、前記残価値有無判断手段により前記記憶媒体に前記残価値があると判断された場合は、その旨を報知する報知手段を具備することを特徴とする。
【００２１】
また、請求項６の発明は、有価価値が価値付けられた記憶媒体の該有価価値に基づき遊技媒体の貸し出しを制御する複数の貸出処理機と、前記記憶媒体の有価価値および前記貸出処理機における前記記憶媒体の有価価値に基づく遊技媒体の貸し出しを管理する管理装置とを有する遊技媒体貸出システムにおいて、前記管理装置は、前記複数の貸出処理機に残留した記憶媒体があるか否かをそれぞれ判断する記憶媒体残留判断手段と、前記記憶媒体残留判断手段により前記記憶媒体が残留状態にあると判断された場合は、当該貸出処理機に残留する記憶媒体に価値付けられた残有価があるか否かを判断する残価値有無判断手段と、前記残価値有無判断手段により前記記憶媒体に前記残価値があると判断された場合は、当該貸出処理機に対して当該記憶媒体の自動返却を指示する記憶媒体返却指示を行う記憶媒体返却指示手段とを具備し、前記貸出処理機は、前記記憶媒体返却指示手段による記憶媒体返却指示に基づき、残留した記憶媒体を自動返却することを特徴とする。
【００２２】
また、請求項７の発明は、有価価値が価値付けられた記憶媒体の該有価価値に基づき遊技媒体の貸し出しを制御する複数の貸出処理機と、前記記録媒体の有価価値及び前記貸出処理機における前記記録媒体の有価価値に基づく遊技媒体の貸出を管理する管理装置とを有する遊技媒体貸出システムにおいて、前記管理装置は、前記複数の貸出処理機に残留した記憶媒体があるか否かをそれぞれ判断する記憶媒体残留判断手段と、前記記憶媒体残留判断手段により前記記憶媒体が残留状態にあると判断された場合は、当該貸出処理機に残留する記憶媒体に価値付けられた残有価があるか否かを判断する残価値有無判断手段と、前記残価値有無判断手段により前記記憶媒体に前記残価値があると判断された場合は、当該貸出処理機に対して当該記憶媒体を保持する記録媒体保持指示を行う記録媒体保持指示手段と、を具備し、前記貸出処理機は、前記記録媒体保持指示手段による記録媒体保持指示に基づき、残留した記憶媒体を保持し、係員による所定の操作に基づいて該記録媒体を返却するを具備することを特徴とする。
【００２３】
また、請求項８の発明は、請求項７または８の発明において、前記残価値有無判断手段で前記記憶媒体に前記残価値がないと判断された場合は、該カードを再利用のために当該カードを当該貸出処理機のスタック部にするスタック指示を行うスタック指示手段を具備することを特徴とする。
【００２４】
また、請求項９の発明は、請求項７または８の発明において、前記残価値有無判断手段で前記記憶媒体に前記残価値がないと判断された場合は、該カードを回収する回収指示を行う回収指示手段を具備することを特徴とする。
【００２５】
また、請求項１０の発明は、請求項６乃至９のいずれかの発明において、前記残価値有無判断手段により前記記憶媒体に前記残価値があると判断された場合は、その旨を当該貸出処理機で報知する報知手段を具備することを特徴とする。
【発明の効果】
【００２６】
本発明によれば、集計時点で取り忘れたカードが発生した場合にそのカードに価値付けられた有価価値の有無を判断し、有価価値が残されている場合には、設定に従ってカードを処理するように構成したので、遊技施設の管理業務の効率化が図れるという効果を奏する。
【発明を実施するための最良の形態】
【００２７】
以下、本発明に係わる貸出処理機および遊技媒体貸出システムの一実施例を添付図面を参照して詳細に説明する。
【００２８】
なお、本実施例では、記録媒体の例としてカードを示し、そのカードに記憶された有価価値に基づいて取り忘れられたカード（残留したカード）を制御するような構成にしているが、カードにカードＩＤを記憶し、他の装置でそのカードＩＤに対する有価価値を記憶するような構成にすることで取り忘れられたカードを制御してもよい。
【実施例】
【００２９】
図１は、本発明に係わる貸出処理機および遊技媒体貸出システムを適用して構成した遊技媒体貸出システムのシステム構成図である。
【００３０】
図１において、この遊技媒体貸出システムは、遊技施設１０（以下、「パチンコ店１０」と示す）内で構成され、カード発行機（１０１−Ａ、・・・、１０１−Ｎ）（以下、総称して「カード発行機１０１」という）、カード精算機１０２、島コントローラ１０３、貸出処理機１０４、パチンコ台１０５、ルータ１０６、ターミナルコントローラ１０７を含んで構成され、パチンコ遊技機またはスロット遊技機などの遊技機による遊技を提供する。
【００３１】
パチンコ店１０では、各貸出処理機１０４で貸し出されたパチンコ玉またはメダルなどの遊技媒体の数に相当する有価価値を算出し、売上データとして集計する売上集計処理を行う。この売上集計処理は、パチンコ店の営業を終了する際に行われる閉店処理に合わせて行われることが多い。（以下、閉店処理に売上集計処理を含む）
この閉店処理は、パチンコ店１０全体を管理するターミナルコントローラ１０７によって行われ、各貸出処理機１０４から取得した売上データに基づいて行われる。
【００３２】
カード発行機１０１は、パチンコ店１０に少なくとも１台設置され、投入された現金に相当する価値の有価価値を価値付けたカードを発行する。また、デビットカードを用いてデビット決済システム（図示せず）と通信することでデビット決済を行ったのちにカードを発行するような構成にしてもよい。これらいずれの場合であってもカードに価値付けた有価価値に相当する金額をカードに付加された識別情報とともにターミナルコントローラ１０７に通知することでターミナルコントローラ１０７がカード発行にかかる情報を一元管理できる。
【００３３】
カードには、パチンコ店１０の会員として登録されている遊技客が保持する会員カードと、会員として登録されていない一般の遊技客が保持する非会員カード（以下、「一般カード」という）があり、現金が投入されて新規に発行されるカードまたはデビット決済を行って新規に発行されるカードは一般カードである。
【００３４】
会員カードの場合、会員登録時に発行されており、その会員カードをカード発行機１０１に挿入することで投入された金額またはデビット決済された金額に相当する有価価値が価値付けられる。
【００３５】
また、既に発行された一般カードも再利用が可能であり、その一般カードも会員カードと同様、投入された現金の金額またはデビット決済した金額に対する有価価値を価値付けることができる。通常、一般カードは同日に限り再利用を可能とし、売上データの集計上、日付を跨いで利用することを許可していない。
【００３６】
このときの有価価値とは、投入された現金を所定のレートで貸出単位である「度数」に変換した価値を示すものであって、貸出単位に基づいて遊技媒体の貸し出される。例えば、１００円に対して「１度数」を割り当てた場合、３千円の金額が投入されると、カードの有価価値として「３０度数」が価値付けられる。
【００３７】
カード精算機１０２は、カードに関連付けられた金額を現金として精算（換金）する。精算後、会員カードの場合には遊技客に返却し、一般カードの場合には遊技客に返却せずに機内に回収する。
【００３８】
島コントローラ１０３は、複数台の貸出処理機１０４と複数台のパチンコ台１０５とから構成された「島」と呼ばれるグループに設置された中継装置である。
【００３９】
貸出処理機１０４から通信回線により接続されたカード発行機１０１、カード精算機１０２、ターミナルコントローラ１０７へデータ中継を行う。また、貸出処理機１０４でパチンコ玉やメダルを貸し出す際に遊技客により投入された現金を搬送機構（図示せず）によって搬送することで専用の収納庫である島端の回収ボックスに保管する。この回収ボックスは、現金を収納する収納庫のほか各貸出処理機１０４で取り忘れられたカードを収納する収納庫をも含み、カードを収納する収納庫をカード回収ボックスという。  貸出処理機１０４は、パチンコ台１０５ごとに設置され、遊技客により投入された現金に対してパチンコ遊技機を利用するためのパチンコ玉またはスロット遊技機を利用するためのメダルを貸し出す処理を行う。また、予め有価価値が記憶されていない一般カードを収納しておき、投入された現金に対して貸し出したパチンコ玉またはメダルが少ない場合にその差分の有価価値を価値付けした一般カードを発行する。
【００４０】
さらに、一般カードまたは会員カードによるパチンコ玉、メダルの貸し出しも可能であって挿入された一般カード、会員カードに価値付けされた有価価値に相当する数量を貸し出す処理を行う。このとき、貸出処理機１０４を一意に識別できる識別情報や有価価値を価値付けたカードを識別するカード識別情報とともに貸し出しを行った遊技媒体の有価価値をターミナルコントローラ１０７に通知することでターミナルコントローラ１０７が貸出処理機１０４ごとの売上情報や、各カードに対する有価価値を管理することができる。
【００４１】
パチンコ玉やメダルなどの遊技媒体を貸し出す際に投入された現金を搬送する搬送機構が貸出処理機１０４の背面に設置されており、その搬送機構を用いて島端の回収ボックスへその現金を搬送する。
【００４２】
ターミナルコントローラ１０７から島コントローラ１０３を介して各貸出処理機１０４に閉店処理の指示が行われると、カードが残留しているか否かを判断し、カード処理部（図２で詳細を説明）に残留しているカードが存在している場合には、そのカードに残価値があるかを判断する。すなわち、遊技施設で閉店処理を行う際に、貸出処理機１０４に残留しているカードはユーザが取り忘れたカードである。
【００４３】
カードが残留していない場合（取り忘れられていない場合）には、当該貸出処理機に対する閉店処理を終了する。
【００４４】
また、カードが残留している状態で残価値がある場合には、図５に示す設定に基づいて処理が行われる。このときの詳細な処理フローを図４に示す。
【００４５】
一例として、閉店処理の指示を受けた貸出処理機１０４に残価値があるカードが取り忘れられている場合は、そのカードを自動的に返却する。
【００４６】
これによって、遊技施設の管理者は閉店処理時に、残価値があるカードが取り忘れられていることを認識することができる。
【００４７】
また、貸出処理機１０４には、有価価値が価値付けられていない一般カードを保持するカードスタック機構を有し、挿入された一般カードの有価価値が「０（ゼロ）」の状態で閉店処理が行われた場合にその一般カードをカードスタック機構にスタックする。
【００４８】
さらに、投入された現金を搬送する搬送機構とともに閉店処理時に取り忘れられたカードを搬送するカード搬送機構（図３に示すカード搬送機構２２１）をも有しており、そのカード搬送機構を用いて島端のカード回収ボックス（図示なし）に搬送することによりそのカードを回収する。
【００４９】
そして、図５に示す設定によって行われた処理の際に、残価値がある場合、カードに残価値が残されていることを報知するような構成にしてもよい。報知の方法として、例えば、ブザーを鳴らしたり、後述する状態表示ランプ２０１や情報表示ＬＥＤ２０６にその旨を表示したりする。
【００５０】
パチンコ台１０５は、パチンコ店１０における遊技機である。遊技機としてパチンコ台に限られるものではなく、スロット遊技機などの遊技機を含む。
【００５１】
ルータ１０６は、パチンコ店１０の精算システムが外部のシステムと通信を行う際のインターフェースであり、電話回線などの回線網を介してデビット決済システム（図示なし）などと接続される。
【００５２】
ターミナルコントローラ１０７は、パチンコ店１０全体の処理を管理・制御し、カード発行機１０１、カード精算機１０２、各「島」の島コントローラ１０３、貸出処理機１０４から情報を取得するとともに各種の指示や設定を配信する。
【００５３】
取得した情報を管理することによってパチンコ店１０全体の情報を一元管理することができる。また、貸出処理機１０４によって玉貸し処理が行われる際に売上データを収集し、売上集計処理を含む閉店処理を実行する。
【００５４】
さらに、閉店処理時に各貸出処理機１０４に残されたカードの取り扱いを定めた設定テーブルを保持する。この設定テーブルの一例を図５に示す。ここに示すいずれかの設定に基づいて、取り忘れたカードを処理する。
【００５５】
このような構成によって、閉店処理の際に貸出処理機１０４に取り忘れられたカードが存在する場合であっても、指定された処理動作または表示によってそのカードに価値付けられた有価価値の有無を確認することができ、効率良く閉店処理を行うことができる。
【００５６】
図２は、貸出処理機とパチンコ台の装置構成を示す図である。
【００５７】
図２において、図２（ａ）は、貸出処理機１０４の構成を示す図であり、図２（ｂ）は、パチンコ台１０５の構成を示す図である。
【００５８】
図２（ａ）に示す貸出処理機１０４は、状態表示ランプ２０１、カードスタック部状態表示ＬＥＤ（Light Emitting Diode：ダイオード）２０２、リモコン受発光部２０３、紙幣投入口２０４、カード挿入口２０５、情報表示ＬＥＤ２０６、モード表示ランプ２０７、操作ボタン２０８、電源部２０９を含んで構成される。
【００５９】
状態表示ランプ２０１は、貸出処理機１０４または併設されたパチンコ台１０５の状態を係員に示すランプである。例えば、紙幣投入やカード挿入時に発生したエラーを係員に伝える場合に用いられる。さらに、パチンコ台１０５で確率変動などの当りが出た場合には、係員にパチンコ玉の受け皿を交換するように指示するなどといった係員への視覚的な指示を行う。
【００６０】
また、ターミナルコントローラ１０７からの閉店処理指示の際に取り忘れられたカードがあってそのカードに残価値がある場合、その旨を知らせるためにランプを点灯させる。
【００６１】
カードスタック部状態表示ＬＥＤ２０２は、予め収納された一般カードの収納状態を示すＬＥＤである。例えば、カードスタック機構（図示せず）によってスタックされた一般カードが数枚になった場合に係員への補充を促したり、満杯になりそうな場合に回収を促したりすることができる。また、状態表示ランプ２０１同様、閉店処理指示の際に取り忘れられたカードがあってそのカードに残価値がある場合には、その旨を表示する。
【００６２】
リモコン受発光部２０３は、係員が携帯するリモコンを用いて貸出処理機１０４を操作する際のリモコンとの通信インターフェースである。
【００６３】
紙幣投入口２０４は、パチンコ玉の貸し出しを現金で受ける際に紙幣を投入する投入口である。紙幣投入口２０４から投入された紙幣は識別され、上記する搬送機構を用いて島端の回収ボックスへ搬送され、保管される。
【００６４】
カード挿入口２０５は、カード発行機１０１などで発行された一般カードまたは会員カードなどを挿入する挿入口である。さらに、カード挿入口２０５から挿入されたカードはカード処理部で処理され、そのカード処理部には、一般カードが収納されている。紙幣投入口２０４から投入された紙幣に対してパチンコ台１０５に貸し出されたパチンコ玉の数が少ない場合であって、さらに遊技客によって返却ボタンが押下された場合にその差分の有価価値を価値付けた一般カードを排出する。
【００６５】
カード挿入口２０５から会員カードが挿入され、その会員カードに価値付けられた有価価値に対するパチンコ玉数に対して実際に貸し出されたパチンコ玉数が少ない場合には、その差分の有価価値を価値付けた会員カードをカード挿入口２０５より返却する。なお、会員カードに限っては、有価価値を使い切った場合にも返却される。
【００６６】
閉店処理によりターミナルコントローラ１０７から売上データの取得要求が行われた際には、カード挿入口２０５から挿入されて取り忘れられたカードを有価価値が読み取り可能な状態でストアさせておくことができ、また、取り忘れられたカードをカードスタック機構にスタックすることができる。
【００６７】
さらに、カード搬送機構を用いて取り忘れられたカードを島端のカード回収ボックスに搬送することもできる。
【００６８】
情報表示ＬＥＤ２０６は、７セグメント表示×６桁からなる表示デバイスであり、モード表示ランプ２０７で選択的に示される情報（主に数値情報）を遊技客に対して表示する。また、貸出処理機１０４やパチンコ台で発生したエラーを特定できるエラーコードを係員に対して表示することも可能である。
【００６９】
モード表示ランプ２０７は、「残度数」、「総貯玉数」、「再プレイ可能回数」、「ポイント数」の各モードがランプ表示される。
【００７０】
操作ボタン２０８は、遊技客や係員によって操作可能なボタン群を示している。
【００７１】
電源部２０９は、貸出処理機１０４でパチンコ玉の貸出処理などを行うにあたって電源の供給を行う。
【００７２】
図２（ｂ）に示すパチンコ台１０５には、表示部２１０、貸出／返却ボタン２１１、玉投出機構２１２が示されており、表示部２１０は、遊技客に投入された紙幣または挿入されたカードで貸出可能な玉数などを表示し、貸出／返却ボタン２１１は、パチンコ玉の貸し出しやカードの排出、返却を指示するボタンであり、玉投出機構２１２は、貸出処理機１０４からの指示を受けてパチンコ台にパチンコ玉を貸し出すとともに、遊技結果に応じて賞球を投出するための投出機構である。
【００７３】
閉店処理を行った際に貸出処理機１０４に取り忘れられたカードが存在する場合であってエラー表示する際には貸出処理機１０４の情報表示ＬＥＤ２０６とパチンコ台１０５の表示部２１０に同一のエラー表示を行う。また、貸出処理機１０４の状態表示ランプ２０１にはエラーが発生したことを示す表示を行う。
【００７４】
このような構成によって、閉店処理時に取り忘れられた状態にあるカードをターミナルコントローラ１０７が保持する設定テーブルの設定にしたがって処理できる。
【００７５】
図３は、貸出処理機の詳細な構成を示すブロック図である。
【００７６】
図３に示す貸出処理機１０４は、リモコン受発光部２０３、情報表示ＬＥＤ２０６、操作部２０８、電源部２０９、貸出処理機制御部２１３、紙幣処理部２１４、カード処理部２１５、Ｉ／Ｆ部２１６、記憶部２１７を具備して構成されている。さらに、紙幣処理部２１４には、紙幣搬送機構２２０が接続され、カード処理部２１５には、カード搬送機構２２１が接続されている。
【００７７】
リモコン受発光部２０３、情報表示ＬＥＤ２０６、操作部２０８、電源部２０９は、図２（ａ）に示す構成と同じである。
【００７８】
貸出処理機制御部２１３は、貸出処理機１０４におけるパチンコ玉の貸し出しやカードの発行、受け付けなどの処理を制御する。
【００７９】
紙幣処理部２１４は、図８（ａ）に示す紙幣投入口２０４から投入された紙幣を処理する。
【００８０】
例えば、投入された紙幣が千円札、二千円札、五千円札、一万円札のいずれかであるかを識別し、識別された投入紙幣の金額を貸出処理機制御部２１３に通知する。もちろん、いずれの紙幣でもない場合には、紙幣投入口２０４から返却する。投入紙幣金額が貸出処理機制御部２１３に送出されると接続された紙幣搬送機構２２０を用いて紙幣を搬送する。
【００８１】
カード処理部２１５は、挿入されたカードの種類を判別し、さらにカードに記憶されている識別情報を読み取り、読み取った識別情報を貸出処理機制御部２１３に送出する。
【００８２】
カード搬送機構２２１を用いて投入されたカードの搬送を行うだけでなく、予め一般カードを収納しておくカードスタック機構（図示せず）を含む。
【００８３】
Ｉ／Ｆ部２１６は、データ通信にかかるインターフェースを示し、接続されたパチンコ台１０５、島コントローラ１０３などとデータ通信を実現する。
【００８４】
記憶部２１７は、貸出処理機１０４における各種機能を実現するための実行プログラムやパラメータが格納され、貸出処理機制御部２１３により呼び出されることにより実行される。また、一時的にデータを記憶する一時記憶領域を有し、実行プログラムの作業領域を提供する。
【００８５】
以上に示すような構成によって、取り忘れられたカードに価値付けられた有価価値の有無によって効率的な閉店処理を行うことができる。
【００８６】
図４は、本願発明の処理の流れを示すフローチャートである。
【００８７】
図４において、遊技施設が閉店時間を迎えた場合などにターミナルコントローラから売上集計処理を含む閉店処理を指示すると処理が開始され、各パチンコ台に併設された貸出処理機で追加入金を禁止する入金禁止処理が実行され（Ｓ４０１）、現金（紙幣）の投入を行えなくする。
【００８８】
続いて、入金禁止処理（Ｓ４０１）を行った際に取引中または取引終了後のカードが貸出処理機のカード処理部に残されているかを判断し（Ｓ４０２）、カードが残されていない場合（Ｓ４０２でＮＯ）には、その貸出処理機における売上データなどの集計を確定させる処理を行う（Ｓ４０９）。この場合、取り忘れられたカードが存在しないことからその貸出処理機における売上集計処理が確定する。
【００８９】
それに対して、取引中または取引終了後のカードが貸出処理機のカード処理部に残されている場合（Ｓ４０２でＹＥＳ）には、図５に示す設定に基づいて処理が行われる。
【００９０】
まず、図５に示す設定のうち、カードの返却以外の処理を行わない設定（パターン１、パターン２）であるか判断し（Ｓ４０３）、カードの返却以外の処理を行わない設定である場合（Ｓ４０３でＹＥＳ）には、続いて、残されたカードに価値付けられた有価価値の有無を判断する（Ｓ４０４）。カードに有価価値がなければ（Ｓ４０４でＮＯ）、カードを返却した後（Ｓ４０７）、カード挿入を禁止するカード挿入禁止処理を実行する（Ｓ４０８）。また、カードに価値付けられた有価価値がある場合（Ｓ４０４でＹＥＳ）には、取り忘れられたカードが存在する旨のエラー表示を行う（Ｓ４０５）。
【００９１】
続いて、有価価値があるカードを返却する設定（パターン１の設定）であるか判断し（Ｓ４０６）、カードを返却する設定（パターン１）である場合（Ｓ４０６でＹＥＳ）には、貸出処理機のカード挿入口からカードを返却し（Ｓ４０７）、カードの挿入を禁止するカード挿入禁止処理を実行する（Ｓ４０８）。なお、パターン２において、カード（残価値有り）が滞留させられた場合は、係員がエラー表示を確認した上で、所定の操作（ボタン操作あるいはリモコン操作）を行うことにより、該カードが返却（排出）される。
【００９２】
カードを返却する設定でない（パターン２）である場合（Ｓ４０６でＮＯ）には、カードを返却することなく（カードはカード処理機の中に滞留させた状態で）、カードの挿入を禁止するカード挿入禁止処理を実行する（Ｓ４０８）。
【００９３】
次に、上記カードの返却以外の処理を行わない設定（パターン１、パターン２）であるかの判断（Ｓ４０３）でカード返却以外の処理をしない設定（パターン１またはパターン２）でない場合（Ｓ４０３でＮＯ）には、続いて、カードに価値付けられた有価価値の有無を判断し（Ｓ４１０）、有価価値がある場合（Ｓ４１０でＹＥＳ）にカードを返却し（Ｓ４１１）、カードの挿入を禁止するカード挿入禁止処理を実行する（Ｓ４０８）。
【００９４】
カードに価値付けられた有価価値がない場合（Ｓ４１０でＮＯ）には、続いて、残額がないカードを内部にスタックする設定（パターン４）であるか判断し（Ｓ４１２）、スタックする設定（パターン４）である場合（Ｓ４１２でＹＥＳ）には、カードをスタックした（Ｓ４１３）のち、カードの挿入を禁止するカード挿入禁止処理を実行する（Ｓ４０８）。
【００９５】
このときのカードを内部にスタックする設定（パターン４）では、貸出処理機に設けられたカードスタック機構に入れることを示している。
【００９６】
さらに、有価価値が価値付けられていないカードを内部にスタックする設定（パターン４）でもない場合（Ｓ４１２でＮＯ）には、続いて、有価価値が価値付けられていないカードをカード搬送機構経由で島端へ回収する設定（パターン５）であるか判断し（Ｓ４１４）、島端へ回収する設定（パターン５）である場合（Ｓ４１４でＹＥＳ）には、カードの回収処理を行って（Ｓ４１５）カードの挿入を禁止するカード挿入禁止処理を実行する（Ｓ４０８）。
【００９７】
このときのカードを島端へ回収する設定（パターン５）では、貸出処理機の背面に設置され、カードを搬送する機能であるカード搬送機構によって専用の収納庫である島端のカード回収ボックスに保管することを示している。
【００９８】
またさらに、カードを島端へ回収する設定（パターン５）でもない場合（Ｓ４１４でＮＯ）には、カードをカード処理機の内部もしくは後方に配置されるカード回収ボックスに回収（ストア）させ（Ｓ４１６）、カードの挿入を禁止するカード挿入禁止処理を実行する（Ｓ４０８）。
【００９９】
上記するカードの挿入を禁止するカード挿入禁止処理を実行する（Ｓ４０８）と、貸出処理機ごとに売上データを集計して確定させる売上集計確定処理を行う（Ｓ４０９）。
【０１００】
以上に示すフローチャートでは、閉店処理または売上データ集計処理の際に図５に示す設定に応じた処理を行うことができ、特に、取り忘れられたカードの返却有無でそのカードに価値付けられた有価価値の有無を判断することができる。
【０１０１】
図５は、カードの取り扱いを定義した設定テーブルである。
【０１０２】
図５は、閉店処理または売上データ集計処理を実行する際に取り忘れられたカードの取り扱いを定めた設定であって、設定の名称を示す[パターン番号]５０１、[パターン番号]５０１に対するカードの取り扱いを規定した[処理設定内容]５０２から構成される。
【０１０３】
以下に、各[パターン番号]５０１ごとに設定された処理内容を示す。
【０１０４】
まず、[パターン番号]５０１が「パターン１」である[処理設定内容]５０２は「カードを返却してエラー表示することにより区別」であることが示されている。これは、カードに価値付けられた有価価値の有無、いずれの場合であってもカードを返却してエラー表示を行うか否かで有価価値の有無を判断することを示す。返却されたカードを回収する係員は、エラー表示がない状態で貸出処理機から返却されたカードを抜き取ることにより、残価値無しのカードを回収することができる。一方、エラー表示が有る貸出処理機から返却されたカードを抜き取ることで残価値有りのカードを回収することができ、預かり置き等の対応を行う。
【０１０５】
次に、[パターン番号]５０１が「パターン２」である[処理設定内容]５０２は「カードの返却「有／無」、そのエラー表示により区別」であることが示されている。これは、残価値がないカードについては、そのまま返却することを示し、残価値があるカードについては、エラー表示を行った上で保持することによって残されたカードの有価価値の有無を判断することを示す。
【０１０６】
そして、返却されたカードを係員が回収することで残価値がないカードを回収することができる。一方、エラー表示が有る貸出処理機に対しては、所定の処理（ボタン操作あるいはリモコン操作）を行うことによって残価値有りのカードが返却され、回収することができ、預かり置きなどの対応を行う。
【０１０７】
次に、[パターン番号]５０１が「パターン３」である[処理設定内容]５０２は「カードのストア／返却により区別」であることが示されている。これは、残価値があるカードについては、そのまま返却することを示し、残価値がないカードについては、貸出処理機の後方に設けられた回収ボックスに回収されるかそのまま機内に滞留させておくことによって残されたカードの有価価値の有無を判断することを示す。  そして、返却されたカードを係員が回収することで残価値があるカードを回収することができ、預かり置き等の対応を行う。一方、貸出処理機の後方に設けられた回収ボックスに回収されたり、機内に滞留されたりした状態にある残価値のないカードを係員が回収することで翌日以降の取引に再利用することができる。
【０１０８】
次に、[パターン番号]５０１が「パターン４」である[処理設定内容]５０２は「カードのスタック／返却により区別」であることが示されている。これは、残価値があるカードについては、そのまま返却することを示し、残価値がないカードについては、カード処理部に接続されたカードスタック機構によってスタックされることによって残されたカードの有価価値の有無を判断することを示す。
【０１０９】
そして、返却されたカードを係員が回収することで残価値があるカードを回収することができる。一方、カードスタック機構によってスタックされた残価値のないカードを回収すれば翌日以降の取引に再利用することができる。
【０１１０】
最後に、[パターン番号]５０１が「パターン５」である[処理設定内容]５０２は「カードの回収／返却により区別」であることが示されている。これは、残価値があるカードについては、そのまま返却することを示し、残価値がないカードについては、カード回収機構によって島端のカード回収ボックスに回収されることによって残されたカードの有価価値の有無を判断することを示す。
【０１１１】
そして、返却されたカードを係員が回収することで残価値があるカードを回収することができる。一方、島端のカード回収ボックスに回収された残価値がないカードをまとめて回収することができ、翌日以降の取引に再利用することができる。
【０１１２】
この設定にしたがって、図４に示すフローチャートが実行される。
【０１１３】
なお、設定テーブルは、ターミナルコントローラ１０７で管理するような構成にしてもよいし、島コントローラ１０３で管理するような構成にしてもよい。さらに、各貸出処理機１０４で管理するような構成でもよい。
【０１１４】
以上の構成によって、本発明の遊技媒体貸出システムでは、取り忘れられたカードに価値付けられた有価価値の有無によってカードの返却の有無またはエラー表示の有無を決定することができる。
【０１１５】
これによって、取り忘れられたカードに価値付けられた有価価値の有無を容易に判断することが可能となる。
【０１１６】
従って、本発明を適用することにより、閉店処理時や売上データの集計時など売上データの管理が効率良く行うことができるという効果を期待できる。
【０１１７】
本発明は、上記し、且つ図面に示す実施例に限定することなく、その要旨を変更しない範囲内で適宜変形して実施できるものである。
【０１１８】
例えば、上記実施例では、カードが取り忘れられているか否かの判断と、カードが取り忘れられている際の残価値の有無判断を貸出処理機で行うような構成にしているが、ターミナルコントローラで行うような構成にしてもよい。
【０１１９】
この場合の処理を図１を用いて説明する。
【０１２０】
ユーザが利用する会員カード、一般カードには、カードを一意に識別することができるカードＩＤが記録されている。
【０１２１】
ターミナルコントローラ１０７は、カードＩＤに対する有価価値を管理し、玉貸し処理時に貸出処理機１０４からの有価価値の取得要求（カードＩＤを含む）を受けると、その取得要求に含まれるカードＩＤに対応付けられた有価価値情報を要求元である貸出処理機１０４に送信する。玉貸しが行われれば、その玉貸しが行われた有価価値をターミナルコントローラ１０７によって管理されている有価価値から減算して更新する。すなわち、カード（カードＩＤ）に対して有価価値が価値付けられている。
【０１２２】
また、遊技施設の管理者によって売上集計処理や閉店処理が指示されると、ターミナルコントローラ１０７は、各貸出処理機１０４に対して残留しているカードがあるか否かを判断し、カードが残留している貸出処理機１０４があれば、続いて、その貸出処理機１０４のカードに残価値があるか否かを判断する。
【０１２３】
この残価値の有無の判断は、そのカードに記憶されたカードＩＤを取得することにより、ターミナルコントローラ１０７で管理したカードＩＤに対する有価価値によって判断する。これらの判断によって行われる処理は、図５に示すような設定テーブルの設定に基づいて行われる。
【０１２４】
また、図５の設定に基づいて、貸出処理機１０４で行う処理内容を指示する。
【０１２５】
例えば、取り忘れられたカードに残価値がない場合には、そのカードを再利用できるようにスタックする指示を行い、また、カード回収機構を用いてカードを回収させる指示を行う。
【０１２６】
さらに、残価値があることを報知する旨が設定されている場合には、貸出処理機１０４に対して報知の指示を行う。
【０１２７】
以上のようにターミナルコントローラ１０７で管理されたカードＩＤに対する有価価値に基づき、カードに記憶された有価価値と同様、取り忘れられたカード返却の有無、エラー表示を判断することができる。
【産業上の利用可能性】
【０１２８】
本発明は、カードに価値付けられた有価価値に対して遊技媒体の貸出を行う貸出処理機および遊技媒体貸出システムに適用可能であり、特に、取り忘れられたカードに対して効率的なカードの取り扱いを行えるようにするのに有用である。
【図面の簡単な説明】
【０１２９】
【図１】本発明に係わる貸出処理機および遊技媒体貸出システムを適用して構成した遊技媒体貸出システムのシステム構成図。
【図２】貸出処理機とパチンコ台の装置構成を示す図。
【図３】貸出処理機の詳細な構成を示すブロック図。
【図４】本願発明の処理の流れを示すフローチャート。
【図５】カードの取り扱いを定義した設定テーブル。
【符号の説明】
【０１３０】
１０        遊技施設（パチンコ店）
１０１−１・・・１０１−Ｎ  カード発行機
１０２      カード精算機
１０３      島コントローラ
１０４      貸出処理機
１０５      パチンコ台
１０６      ルータ
１０７      ターミナルコントローラ（カード情報管理装置）
２０１      状態表示ランプ
２０２      カードスタック部状態表示ＬＥＤ
２０３      リモコン受発光部
２０４      紙幣投入口
２０５      カード挿入口
２０６      情報表示ＬＥＤ
２０７      モード表示ランプ
２０８      操作ボタン
２０９      電源部
２１０      表示部
２１１      貸出／返却ボタン
２１２      玉投出機構
２１３      貸出処理機制御部
２１４      紙幣処理部
２１５      カード処理部
２１６      Ｉ／Ｆ部
２１７      記憶部
２２０      紙幣搬送機構
２２１      カード搬送機構
【図１】
2007061170.tif 000003
【図２】
2007061170.tif 000004
【図３】
2007061170.tif 000005
【図４】
2007061170.tif 000006
【図５】
2007061170.tif 000007